(57)【要約】  移動通信方法は、無線端末から無線基地局に対して、前記無線端末のカテゴリを示すカテゴリクラスを通知するステップＡと、前記無線基地局から前記無線端末に対して、前記無線端末のカテゴリクラスに応じて決定されるＤＲＸ周期を識別するＤＲＸ識別情報を通知するステップＢと、前記無線端末において、前記ＤＲＸ識別情報によって識別されるＤＲＸ周期に応じて、前記オン期間において前記下り方向信号を監視するステップＣとを備える。
2015025813.tif 000002
【特許請求の範囲】
【請求項１】
無線端末と無線基地局との間において、下り方向信号を監視するオン期間及び前記下り方向信号を監視しないオフ期間を有するＤＲＸ周期を構成する移動通信方法であって、
前記無線端末から前記無線基地局に対して、前記無線端末のカテゴリを示すカテゴリクラスを通知するステップＡと、
前記無線基地局から前記無線端末に対して、前記無線端末から通知されたカテゴリクラスに応じて決定されるＤＲＸ周期を識別するＤＲＸ識別情報を通知するステップＢと、
前記無線端末において、前記ＤＲＸ識別情報によって識別されるＤＲＸ周期に応じて、前記オン期間において前記下り方向信号を監視するステップＣとを備えることを特徴とする移動通信方法。
【請求項２】
前記無線端末のカテゴリは、前記無線端末の動作、種別又はステータスの少なくともいずれかを示すカテゴリであることを特徴とする請求項１に記載の移動通信方法。
【請求項３】
前記ステップＡにおいて、前記無線端末は、前記無線端末の動作状態の変更に応じて、前記カテゴリクラスを前記無線基地局に送信することを特徴とする請求項１に記載の移動通信方法。
【請求項４】
前記カテゴリクラスは、前記無線端末の種別、前記無線端末が動作する時間帯、前記無線端末のアイドル状態が継続する時間、前記無線端末が接続された機器の電源状態、前記無線端末に電力を供給する電池の残量、前記無線端末の移動速度、前記無線端末上或いは前記無線端末が接続された機器上において実行されるアプリケーションのいずれかを示すことを特徴とする請求項１に記載の移動通信方法。
【請求項５】
下り方向信号を監視するオン期間及び前記下り方向信号を監視しないオフ期間を有するＤＲＸ周期を構成する移動通信システムで用いる無線端末であって、
前記無線端末のカテゴリを示すカテゴリクラスを無線基地局に通知する通知部と、
前記無線端末のカテゴリクラスに応じて前記無線基地局で決定されるＤＲＸ周期に応じて、前記オン期間において前記下り方向信号を監視する制御部とを備えることを特徴とする無線端末。
【請求項６】
下り方向信号を監視するオン期間及び前記下り方向信号を監視しないオフ期間を有するＤＲＸ周期を構成する移動通信システムで用いる無線基地局であって、
無線端末のカテゴリを示すカテゴリクラスを前記無線端末から受信する受信部と、
前記無線端末のカテゴリクラスに応じて決定されるＤＲＸ周期を識別するＤＲＸ識別情報を前記無線端末に通知する通知部とを備えることを特徴とする無線基地局。
【請求項７】
無線端末が、無線基地局に対して、カテゴリクラスを通知するステップＡと、
前記無線基地局が、前記無線端末に対して、前記通知されたカテゴリクラスに応じて、ＤＲＸ周期を識別するＤＲＸ識別情報を通知するステップＢと、
前記無線端末が、前記ＤＲＸ識別情報によって識別されるＤＲＸ周期に応じて、下り方向信号を監視するステップＣとを備えることを特徴とする移動通信方法。
【請求項８】
無線基地局に対してカテゴリクラスを通知し、当該カテゴリクラスに応じて前記無線基地局から通知されたＤＲＸ識別情報に対応するＤＲＸ周期を適用することを特徴とする無線端末。
【請求項９】
無線端末から通知されたカテゴリクラスに応じて、ＤＲＸ周期を識別するＤＲＸ識別情報を前記無線端末に通知することを特徴とする無線基地局。
【発明の詳細な説明】
【技術分野】
【０００１】
本発明は、下り方向信号を監視するオン期間及び前記下り方向信号を監視しないオフ期間を有するＤＲＸ周期を構成する移動通信システムで用いる移動通信方法、無線端末及び無線基地局に関する。
【背景技術】
【０００２】
従来、無線基地局から送信される下り方向信号を無線端末が監視する期間（以下、オン期間）及び無線基地局から送信される下り方向信号を無線端末が監視しない期間（以下、オフ期間）を設定するＤＲＸ（Ｄｉｓｃｏｎｔｉｎｕｏｕｓ  Ｒｅｃｅｐｔｉｏｎ）を採用する移動通信システムが知られている（例えば、非特許文献１）。例えば、このような移動通信システムとして、ＬＴＥ（Ｌｏｎｇ  Ｔｅｒｍ  Ｅｖｏｌｕｔｉｏｎ）が知られている。【０００３】
オン期間及びオフ期間によって構成されるＤＲＸ周期は、一般的に、ネットワーク（無線基地局）から報知される。無線基地局によって管理されるセル内で同一のＤＲＸ周期が用いられる。なお、ＤＲＸ周期としては、２つの周期（ショートＤＲＸ周期及びロングＤＲＸ周期）が規定されている。【０００４】
しかしながら、無線端末の動作状態によっては、無線端末と無線基地局との間において通信が行われる機会が非常に少ないケースが考えられる。このようなケースにおいて、無線端末の動作状態に依拠せずに、セル内で同一のＤＲＸ周期が適用されると、通信機会が少ない無線端末の消費電力を十分に低減することができない。【０００５】
また、通信機会が少ない無線端末の消費電力を十分に低減するために、複数のオン期間のうち、いずれかのオン期間においてのみ、無線基地局から送信される下り方向信号を監視して、残りのオン期間において、無線基地局から送信される下り方向信号を監視しないことも考えられる。しかしながら、無線基地局から送信される下り方向信号を監視しないオン期間において、無線基地局から送信される下り方向信号（例えば、ページング信号）を受信できないため、このような構成を採用することは好ましくない。
【先行技術文献】
【非特許文献】
【０００６】
【非特許文献１】ＴＳ３６．３２１  Ｖ１０．０．０
【発明の概要】
【０００７】
第１の特徴に係る移動通信方法は、無線端末と無線基地局との間において、下り方向信号を監視するオン期間及び前記下り方向信号を監視しないオフ期間を有するＤＲＸ周期を構成する方法である。移動通信方法は、前記無線端末から前記無線基地局に対して、前記無線端末のカテゴリを示すカテゴリクラスを通知するステップＡと、前記無線基地局から前記無線端末に対して、前記無線端末のカテゴリクラスに応じて決定されるＤＲＸ周期を識別するＤＲＸ識別情報を通知するステップＢと、前記無線端末において、前記ＤＲＸ識別情報によって識別されるＤＲＸ周期に応じて、前記オン期間において前記下り方向信号を監視するステップＣとを備える。
【０００８】
第２の特徴に係る無線端末は、下り方向信号を監視するオン期間及び前記下り方向信号を監視しないオフ期間を有するＤＲＸ周期を構成する移動通信システムで用いる。無線端末は、前記無線端末のカテゴリを示すカテゴリクラスを無線基地局に通知する通知部と、前記無線端末のカテゴリクラスに応じて前記無線基地局で決定されるＤＲＸ周期に応じて、前記オン期間において前記下り方向信号を監視する制御部とを備える。
【０００９】
第３の特徴に係る無線基地局は、下り方向信号を監視するオン期間及び前記下り方向信号を監視しないオフ期間を有するＤＲＸ周期を構成する移動通信システムで用いる。無線基地局は、無線端末のカテゴリを示すカテゴリクラスを前記無線端末から受信する受信部と、前記無線端末のカテゴリクラスに応じて決定されるＤＲＸ周期を識別するＤＲＸ識別情報を前記無線端末に通知する通知部とを備える。
【００１０】
第４の特徴に係る移動通信方法は、無線端末が、無線基地局に対して、カテゴリクラスを通知するステップＡと、前記無線基地局が、前記無線端末に対して、前記通知されたカテゴリクラスに応じて、ＤＲＸ周期を識別するＤＲＸ識別情報を通知するステップＢと、前記無線端末が、前記ＤＲＸ識別情報によって識別されるＤＲＸ周期に応じて、下り方向信号を監視するステップＣとを備える。
【００１１】
第５の特徴に係る無線端末は、無線基地局に対してカテゴリクラスを通知し、当該カテゴリクラスに応じて前記無線基地局から通知されたＤＲＸ識別情報に対応するＤＲＸ周期を適用する。
【００１２】
第６の特徴に係る無線基地局は、無線端末から通知されたカテゴリクラスに応じて、ＤＲＸ周期を識別するＤＲＸ識別情報を前記無線端末に通知する。
【図面の簡単な説明】
【００１３】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係るＤＲＸを示す図である。
【図５】図５は、第１実施形態に係るＵＥ１０を示すブロック図である。
【図６】図６は、第１実施形態に係るｅＮＢ１１０を示すブロック図である。
【図７】図７は、第１実施形態に係るテーブルの一例を示す図である。
【図８】図８は、第１実施形態に係るテーブルの一例を示す図である。
【図９】図９は、第１実施形態に係るテーブルの一例を示す図である。
【図１０】図１０は、第１実施形態に係る移動通信方法を示すシーケンス図である。
【発明を実施するための形態】
【００１４】
以下において、本発明の実施形態に係る移動通信システムについて、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る移動通信方法は、無線端末と無線基地局との間において、下り方向信号を監視するオン期間及び前記下り方向信号を監視しないオフ期間を有するＤＲＸ周期を構成する方法である。移動通信方法は、前記無線端末から前記無線基地局に対して、前記無線端末のカテゴリを示すカテゴリクラスを通知するステップＡと、前記無線基地局から前記無線端末に対して、前記無線端末のカテゴリクラスに応じて決定されるＤＲＸ周期を識別するＤＲＸ識別情報を通知するステップＢと、前記無線端末において、前記ＤＲＸ識別情報によって識別されるＤＲＸ周期に応じて、前記オン期間において前記下り方向信号を監視するステップＣとを備える。
【００１７】
実施形態では、無線端末から無線基地局に対して、無線端末でしか把握することができない無線端末のカテゴリクラスを通知することによって、無線端末のカテゴリクラスに応じてＤＲＸ周期が決定されるため、適切なＤＲＸ周期を設定することが可能である。
【００１８】
すなわち、従来の移動通信方法では、セル内で同一のＤＲＸ周期が固定的に定められていたが、実施形態では、ＤＲＸ周期をフレキシブルに設定することが可能である。
【００１９】
［第１実施形態］
（移動通信システム）
以下において、第１実施形態に係る移動通信システムについて説明する。図１は、第１実施形態に係る移動通信システム１００を示す図である。
【００２０】
図１に示すように、移動通信システム１００は、無線端末１０（以下、ＵＥ１０）と、コアネットワーク５０とを含む。また、移動通信システム１００は、第１通信システムと第２通信システムとを含む。
【００２１】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、無線基地局１１０（以下、ｅＮＢ１１０）と、ＭＭＥ１２０とを有する。なお、第１通信システムでは、第１ＲＡＴ（ＥＵＴＲＡＮ；Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）が用いられる。
【００２２】
第２通信システムは、例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に対応する通信システムである。第２通信システムは、無線基地局２１０と、ＲＮＣ２２０と、ＳＧＳＮ２３０とを有する。なお、第２通信システムでは、第２ＲＡＴ（ＵＴＲＡＮ；Ｕｎｉｖｅｒｓａｌ  Ｔｅｒｒｅｓｔｒｉａｌ  Ａｃｃｅｓｓ  Ｎｅｔｗｏｒｋ）が用いられる。
【００２３】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ｅＮＢ１１０と無線通信を行う機能を有するとともに、無線基地局２１０と無線通信を行う機能を有する。
【００２４】
ｅＮＢ１１０は、セル１１１を有しており、セル１１１に存在するＵＥ１０と無線通信を行う装置（ｅｖｏｌｖｅｄ  ＮｏｄｅＢ）である。
【００２５】
ＭＭＥ１２０は、ｅＮＢ１１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ１２０は、コアネットワーク５０に設けられる。
【００２６】
無線基地局２１０は、セル２１１を有しており、セル２１１に存在するＵＥ１０と無線通信を行う装置（ＮｏｄｅＢ）である。
【００２７】
ＲＮＣ２２０は、無線基地局２１０に接続されており、セル２１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００２８】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００２９】
なお、以下においては、第１通信システムについて主として説明する。但し、以下の記載が第２通信システムに適用されてもよい。また、セルは、ＵＥ１０と無線通信を行う機能として理解すべきである。但し、セルは、セルと通信可能な範囲を示すサービスエリアと考えてもよい。
【００３０】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００３１】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００３２】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００３３】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００３４】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００３５】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００３６】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００３７】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。
【００３８】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とｅＮＢ１１０との間の送信タイミング補正情報であり、ＵＥ１０から送信される上り方向信号に基づいてｅＮＢ１１０によって測定される。
【００３９】
また、下り方向制御チャネル（ＰＤＣＣＨ）下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００４０】
（無線フレーム）
以下において、第１通信システムにおける無線フレームについて説明する。図２は、第１通信システムにおける無線フレームを示す図である。
【００４１】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００４２】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００４３】
（無線リソース）
以下において、第１通信システムにおける無線リソースについて説明する。図３は、第１通信システムにおける無線リソースを示す図である。
【００４４】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００４５】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００４６】
また、無線リソースは、ｅＮＢ１１０によって割当てられる。ｅＮＢ１１０は、ＣＱＩ、ＰＭＩ、ＲＩなどに基づいて、各ＵＥ１０に割当てられる。
【００４７】
（間欠受信）
以下において、間欠受信（ＤＲＸ；Ｄｉｓｃｏｎｔｉｎｕｏｕｓ  Ｒｅｃｅｐｔｉｏｎ）について説明する。図４は、間欠受信について説明するための図である。ＵＥ１０は、コネクティッド状態又はアイドル状態において、消費電力を抑制するために、間欠受信を構成することが可能である。ここでは、無線基地局として、ｅＮＢ１１０を例示するが、実施形態は、これに限定されるものではない。無線基地局は、無線基地局２１０であってもよい。
【００４８】
図４に示すように、ＤＲＸ周期は、ＵＥ１０が下り方向信号を監視するオン期間及び下り方向信号をＵＥ１０が監視しないオフ期間を有する。ＵＥ１０は、オン期間において下り方向信号を監視する。
【００４９】
第１実施形態において、ＵＥ１０は、ｅＮＢ１１０に対して、ＵＥ１０のカテゴリを示すカテゴリクラス（以下、ＵＥ＿ＣＡＴＥＧＯＲＹ＿ＣＬＡＳＳ）を通知する。
【００５０】
ここでいう、ＵＥ＿ＣＡＴＥＧＯＲＹ＿ＣＬＡＳＳは、ＵＥ１０の動作（現状の動作）に対応する動作カテゴリを示すものであってもよい。或いは、ＵＥ＿ＣＡＴＥＧＯＲＹ＿ＣＬＡＳＳは、ＵＥ１０の動作（現状の動作）に対応する動作カテゴリである代わりに、又はＵＥ１０の動作に対応する動作カテゴリを示すものであることに加えて、少なくともＵＥ１０の種別若しくはステータスそれぞれに対応する種別カテゴリ若しくはステータスカテゴリ等のカテゴリを示すものであってもよい。
【００５１】
ｅＮＢ１１０は、ＵＥ１０に対して、通知されたＵＥ＿ＣＡＴＥＧＯＲＹ＿ＣＬＡＳＳに応じて決定されるＤＲＸ周期を識別するＤＲＸ識別情報（以下、ＤＲＸ＿ＣＹＣＬＥ＿ＩＮＤＥＸ）を通知する。ＵＥ１０は、ＤＲＸ＿ＣＹＣＬＥ＿ＩＮＤＥＸによって識別されるＤＲＸ周期に応じて、オン期間において下り方向信号を監視する。ここで、ｅＮＢ１１０は、ＤＲＸ＿ＣＹＣＬＥ＿ＩＮＤＥＸを通知することに加えて、又はＤＲＸ＿ＣＹＣＬＥ＿ＩＮＤＥＸを通知することに代えて、ＤＲＸ周期若しくはＤＲＸ周期を示すものを通知してもよい。
【００５２】
ＵＥ＿ＣＡＴＥＧＯＲＹ＿ＣＬＡＳＳは、例えば、（Ａ）ＵＥ１０の種別（以下、ＵＥ種別）、（Ｂ）ＵＥ１０が動作する時間帯（以下、動作時間帯）、（Ｃ）ＵＥ１０のアイドル状態が継続する時間（以下、継続時間）、（Ｄ）ＵＥ１０が接続された機器の電源状態（以下、電源状態）、（Ｅ）ＵＥ１０に電力を供給する電池の残量（以下、電池残量）、（Ｆ）ＵＥ１０の移動速度（以下、移動速度）、（Ｇ）ＵＥ１０或いはＵＥ１０が接続された機器上で動作しているアプリケーションの種類・数（以下、アプリケーション）のいずれかを示すものである。
【００５３】
（Ａ）ＵＥ種別
ＵＥ種別は、例えば、携帯電話、車両又は家電等の機器に搭載される通信モジュール等の種別である。ＵＥ１０の種別に応じて、例えば、ＵＥ１０の通信モジュール等の種別が異なることにより、ＵＥ１０の動作状態が異なることがある。ＵＥ＿ＣＡＴＥＧＯＲＹ＿ＣＬＡＳＳは、ＵＥ１０の種別カテゴリを示している。
【００５４】
例えば、特定のＵＥ１０の種別を示すＵＥ＿ＣＡＴＥＧＯＲＹ＿ＣＬＡＳＳは、他のＵＥ１０の種別を示すＵＥ＿ＣＡＴＥＧＯＲＹ＿ＣＬＡＳＳに比べて、より長いＤＲＸ周期若しくは当該ＤＲＸ周期に対応するＤＲＸ＿ＣＹＣＬＥ＿ＩＮＤＥＸが対応付けられる。
【００５５】
（Ｂ）動作時間帯
動作時間帯は、例えば、夜間、昼間等の時間帯である。時間帯に応じてＵＥ１０の動作状態が異なることがある。ＵＥ＿ＣＡＴＥＧＯＲＹ＿ＣＬＡＳＳは、ＵＥ１０の動作カテゴリを示している。
【００５６】
例えば、通信頻度が低い時間帯を示すＵＥ＿ＣＡＴＥＧＯＲＹ＿ＣＬＡＳＳは、通信頻度が高い時間帯を示すＵＥ＿ＣＡＴＥＧＯＲＹ＿ＣＬＡＳＳに比べて、より長いＤＲＸ周期若しくは当該ＤＲＸ周期に対応するＤＲＸ＿ＣＹＣＬＥ＿ＩＮＤＥＸが対応付けられる。
【００５７】
（Ｃ）継続時間
継続時間は、上述したように、ＵＥ１０のアイドル状態が継続する時間である。例えば、継続時間は、ＵＥ１０の操作終了に伴ってアイドル状態に遷移したタイミングからアイドル状態が継続する時間である。或いは、ＵＥ１０が機器に搭載される通信モジュールである場合には、継続時間は、機器からＵＥ１０に対する通信要求の終了に伴ってアイドル状態に遷移したタイミングからアイドル状態が継続する時間である。ＵＥ＿ＣＡＴＥＧＯＲＹ＿ＣＬＡＳＳは、ＵＥ１０の動作カテゴリを示している。
【００５８】
例えば、アイドル状態の継続時間がより長いことを示すＵＥ＿ＣＡＴＥＧＯＲＹ＿ＣＬＡＳＳは、アイドル状態の継続時間がより短いことを示すＵＥ＿ＣＡＴＥＧＯＲＹ＿ＣＬＡＳＳに比べて、より長いＤＲＸ周期若しくは当該ＤＲＸ周期に対応するＤＲＸ＿ＣＹＣＬＥ＿ＩＮＤＥＸが対応付けられる。
【００５９】
（Ｄ）電源状態
電源状態は、上述したように、ＵＥ１０が接続された機器の電源状態である。機器の電源状態に応じてＵＥ１０の動作状態が異なることがある。ＵＥ＿ＣＡＴＥＧＯＲＹ＿ＣＬＡＳＳは、ＵＥ１０のステータスカテゴリを示している。
【００６０】
例えば、ＵＥ１０が車両に搭載される通信モジュールである場合には、電源状態は、車両のエンジン（或いは、モータ）の状態である。或いは、ＵＥ１０が家電に搭載される通信モジュールである場合には、家電の電源の状態である。
【００６１】
ここで、電源状態は、ＵＥ１０が接続された機器の電源が切断されたタイミングから所定時間が経過したことを示していてもよい。例えば、車両のエンジン（或いは、モータ）のスイッチがオフになったタイミングから所定時間が経過したことを示していてもよく、家電の電源が切断されたタイミングから所定時間が経過したことを示していてもよい。
【００６２】
例えば、ＵＥ１０が接続された機器の電源が切断されてから経過した時間がより長い時間であることを示すＵＥ＿ＣＡＴＥＧＯＲＹ＿ＣＬＡＳＳは、ＵＥ１０が接続された機器の電源が切断されてから経過した時間がより短い時間であることを示すＵＥ＿ＣＡＴＥＧＯＲＹ＿ＣＬＡＳＳに比べて、より長いＤＲＸ周期若しくは当該ＤＲＸ周期に対応するＤＲＸ＿ＣＹＣＬＥ＿ＩＮＤＥＸが対応付けられる。
【００６３】
（Ｅ）電池残量
電池残量は、ＵＥ１０に電力を供給する電池の残量である。電池残量に応じてＵＥ１０の動作状態（例えば、省エネルギーモード）が変化することがある。ＵＥ＿ＣＡＴＥＧＯＲＹ＿ＣＬＡＳＳは、ＵＥ１０のステータスカテゴリを示している。
【００６４】
例えば、ＵＥ１０が携帯電話である場合には、電池残量は、携帯電話に設けられた電池の残量である。或いは、ＵＥ１０が機器に搭載された通信モジュールである場合には、電池残量は、機器に設けられた電池の残量である。このようなケースにおいて、電池残量は、機器に設けられた電池の残量のうち、ＵＥ１０に割り当てられた電池の残量であってもよい。
【００６５】
例えば、ＵＥ１０の電池残量がより少ないことを示すＵＥ＿ＣＡＴＥＧＯＲＹ＿ＣＬＡＳＳは、ＵＥ１０の電池残量がより多いことを示すＵＥ＿ＣＡＴＥＧＯＲＹ＿ＣＬＡＳＳに比べて、より長いＤＲＸ周期若しくは当該ＤＲＸ周期に対応するＤＲＸ＿ＣＹＣＬＥ＿ＩＮＤＥＸが対応付けられる。
【００６６】
（Ｆ）移動速度
移動速度は、上述したように、ＵＥ１０の移動速度である。移動速度に応じてＵＥ１０の動作状態（例えば、下り方向信号の受信品質の測定周期、受信品質の測定結果の報告周期）が変化することがある。ＵＥ＿ＣＡＴＥＧＯＲＹ＿ＣＬＡＳＳは、ＵＥ１０の動作カテゴリを示している。
【００６７】
例えば、ＵＥ１０の移動速度がより遅いことを示すＵＥ＿ＣＡＴＥＧＯＲＹ＿ＣＬＡＳＳは、ＵＥ１０の移動速度がより速いことを示すＵＥ＿ＣＡＴＥＧＯＲＹ＿ＣＬＡＳＳに比べて、より長いＤＲＸ周期若しくは当該ＤＲＸ周期に対応するＤＲＸ＿ＣＹＣＬＥ＿ＩＮＤＥＸが対応付けられる。
【００６８】
（Ｇ）アプリケーション
アプリケーションは、上述したように、ＵＥ１０上或いはＵＥ１０が接続された機器上において実行されるアプリケーションである。アプリケーションの種類・数に応じてＵＥ１０の動作状態（例えば、特定のアプリケーションが実行中であるか否か、実行中アプリケーションの数が所定数以上であるか否か）が変化することがある。ＵＥ＿ＣＡＴＥＧＯＲＹ＿ＣＬＡＳＳは、ＵＥ１０のステータスカテゴリを示している。
【００６９】
例えば、通信頻度がより低いアプリケーションを示すＵＥ＿ＣＡＴＥＧＯＲＹ＿ＣＬＡＳＳは、通信頻度がより高いアプリケーションを示すＵＥ＿ＣＡＴＥＧＯＲＹ＿ＣＬＡＳＳに比べて、より長いＤＲＸ周期若しくは当該ＤＲＸ周期に対応するＤＲＸ＿ＣＹＣＬＥ＿ＩＮＤＥＸと対応付けられる。
【００７０】
（無線端末）
以下において、第１実施形態に係る無線端末について説明する。図５は、第１実施形態に係るＵＥ１０を示すブロック図である。図５に示すように、ＵＥ１０は、通信部１１と、制御部１２とを有する。
【００７１】
通信部１１は、ｅＮＢ１１０（或いは、無線基地局２１０）から信号を受信する。或いは、通信部１１は、ｅＮＢ１１０（或いは、無線基地局２１０）に信号を送信する。なお、通信部１１は、例えば、アンテナ（ＭＩＭＯが用いられる場合には、複数のアンテナ）、復調部、変調部などを有する。
【００７２】
第１実施形態において、通信部１１は、ｅＮＢ１１０（或いは、無線基地局２１０）に対して、ＵＥ１０のカテゴリを示すＵＥ＿ＣＡＴＥＧＯＲＹ＿ＣＬＡＳＳを通知する。その後、通信部１１は、ｅＮＢ１１０（或いは、無線基地局２１０）から、通知したＵＥ＿ＣＡＴＥＧＯＲＹ＿ＣＬＡＳＳに応じて決定されるＤＲＸ周期を識別するＤＲＸ＿ＣＹＣＬＥ＿ＩＮＤＥＸを受信する。
【００７３】
制御部１２は、ＵＥ１０を制御する。例えば、制御部１２は、間欠受信（ＤＲＸ）が構成された場合において、通信部１１のオン／オフを制御する。すなわち、制御部１２は、下り方向信号を監視するオン期間において通信部１１をオンにして、ｅＮＢ１１０から送信される下り方向信号（例えば、ＰＤＣＣＨ）を監視する。制御部１２は、下り方向信号を監視しないオフ期間において通信部１１をオフにして、ｅＮＢ１１０から送信される下り方向信号（例えば、ＰＤＣＣＨ）を監視しない。
【００７４】
第１実施形態において、制御部１２は、所定トリガの検出に応じて、ＵＥ１０のカテゴリを示すＵＥ＿ＣＡＴＥＧＯＲＹ＿ＣＬＡＳＳの通知を通信部１１に指示する。
【００７５】
ＵＥ＿ＣＡＴＥＧＯＲＹ＿ＣＬＡＳＳが不変の情報（例えば、ＵＥ種別）を示すものである場合には、所定トリガは、例えば、ＵＥ１０の位置登録、アイドル状態からコネクティッド状態への遷移であってもよい。このようなケースにおいて、ＵＥ＿ＣＡＴＥＧＯＲＹ＿ＣＬＡＳＳは、位置登録メッセージ或いはＲＲＣ接続要求メッセージに含まれてもよい。
【００７６】
或いは、ＵＥ＿ＣＡＴＥＧＯＲＹ＿ＣＬＡＳＳが可変の情報（例えば、動作時間帯、継続時間、電源状態、電池残量又は通信速度）を示すものである場合には、所定トリガは、例えば、ＵＥ１０の動作状態が変化するタイミングであってもよい。
【００７７】
具体的には、ＵＥ＿ＣＡＴＥＧＯＲＹ＿ＣＬＡＳＳが動作時間帯である場合には、所定トリガは、ＵＥ１０が動作している時間帯が切り替わることである。ＵＥ＿ＣＡＴＥＧＯＲＹ＿ＣＬＡＳＳが継続時間である場合には、所定トリガは、アイドル状態が継続する時間が所定時間に達することである。ＵＥ＿ＣＡＴＥＧＯＲＹ＿ＣＬＡＳＳが電源状態である場合には、所定トリガは、機器の電源が切断されること、或いは、機器の電源が切断されたタイミングから所定時間が経過することである。ＵＥ＿ＣＡＴＥＧＯＲＹ＿ＣＬＡＳＳが電池残量である場合には、電池の残量が所定閾値を下回ること、或いは、電池の残量が所定閾値を上回ることである。ＵＥ＿ＣＡＴＥＧＯＲＹ＿ＣＬＡＳＳが移動速度である場合には、ＵＥ１０の移動速度が所定閾値を下回ること、或いは、ＵＥ１０の移動速度が所定閾値を上回ることである。
【００７８】
制御部１２は、例えば、図７に示すテーブルを参照して、ＵＥ１０のカテゴリに対応するＵＥ＿ＣＡＴＥＧＯＲＹ＿ＣＬＡＳＳを特定する。図７に示すテーブルでは、ＵＥ１０のカテゴリとＵＥ＿ＣＡＴＥＧＯＲＹ＿ＣＬＡＳＳとが対応付けられている。
【００７９】
第１実施形態において、制御部１２は、ｅＮＢ１１０（或いは、無線基地局２１０）から受信するＤＲＸ＿ＣＹＣＬＥ＿ＩＮＤＥＸによって識別されるＤＲＸ周期に応じて、オン期間において下り方向信号を監視する。ＤＲＸ＿ＣＹＣＬＥ＿ＩＮＤＥＸは、上述したように、ＵＥ＿ＣＡＴＥＧＯＲＹ＿ＣＬＡＳＳに応じて決定される。
【００８０】
制御部１２は、例えば、図８に示すテーブルを参照して、ＤＲＸ＿ＣＹＣＬＥ＿ＩＮＤＥＸに対応するＤＲＸ周期を特定する。図８に示すテーブルでは、ＤＲＸ＿ＣＹＣＬＥ＿ＩＮＤＥＸとＤＲＸ周期とが対応付けられている。
【００８１】
（無線基地局）
以下において、第１実施形態に係る無線基地局について説明する。ここでは、無線基地局として、ｅＮＢ１１０を例示するが、実施形態は、これに限定されるものではない。無線基地局は、無線基地局２１０であってもよい。図６は、第１実施形態に係るｅＮＢ１１０を示すブロック図である。図６に示すように、ｅＮＢ１１０は、通信部１１５と、制御部１１６とを有する。
【００８２】
通信部１１５は、ＵＥ１０から信号を受信する。或いは、通信部１１５は、ＵＥ１０に信号を送信する。なお、通信部１１５は、例えば、アンテナ、復調部、変調部などを有する。
【００８３】
第１実施形態において、通信部１１５は、ＵＥ１０から、ＵＥ１０のカテゴリを示すＵＥ＿ＣＡＴＥＧＯＲＹ＿ＣＬＡＳＳを受信する。通信部１１５は、ＵＥ１０に対して、ＵＥ＿ＣＡＴＥＧＯＲＹ＿ＣＬＡＳＳに応じて決定されるＤＲＸ周期を識別するＤＲＸ＿ＣＹＣＬＥ＿ＩＮＤＥＸを通知する。
【００８４】
制御部１１６は、ｅＮＢ１１０を制御する。例えば、制御部１１６は、ＵＥ１０が上り方向信号を送信するためのリソース、又は、ＵＥ１０が上り方向信号を受信するためのリソースを割り当てる。
【００８５】
第１実施形態において、制御部１１６は、ＵＥ１０から受信するＵＥ＿ＣＡＴＥＧＯＲＹ＿ＣＬＡＳＳに応じて、ＤＲＸ周期を決定する。制御部１１６は、ＵＥ＿ＣＡＴＥＧＯＲＹ＿ＣＬＡＳＳに応じて決定されたＤＲＸ周期を示すＤＲＸ＿ＣＹＣＬＥ＿ＩＮＤＥＸの通知を通信部１１５に指示する。
【００８６】
制御部１１６は、例えば、図９に示すテーブルを参照して、ＵＥ＿ＣＡＴＥＧＯＲＹ＿ＣＬＡＳＳに対応するＤＲＸ＿ＣＹＣＬＥ＿ＩＮＤＥＸを特定する。図９に示すテーブルでは、ＵＥ＿ＣＡＴＥＧＯＲＹ＿ＣＬＡＳＳとＤＲＸ＿ＣＹＣＬＥ＿ＩＮＤＥＸとが対応付けられている。ＤＲＸ＿ＣＹＣＬＥ＿ＩＮＤＥＸは、ＤＲＸ周期と１対１で対応付けられているため、ＤＲＸ＿ＣＹＣＬＥ＿ＩＮＤＥＸの特定は、ＤＲＸ周期の決定と同義である。
【００８７】
（移動通信方法）
以下において、第１実施形態に係る移動通信方法について説明する。図１０は、第１実施形態に係る移動通信方法を示すシーケンス図である。ここでは、無線基地局として、ｅＮＢ１１０を例示するが、実施形態は、これに限定されるものではない。無線基地局は、無線基地局２１０であってもよい。
【００８８】
図１０に示すように、ステップＳ１０において、ＵＥ１０は、所定トリガを検出する。所定トリガは、上述したように、ＵＥ１０のカテゴリに応じて異なっていることに留意すべきである。
【００８９】
ステップＳ２０において、ＵＥ１０は、ｅＮＢ１１０に対して、ＵＥ１０のカテゴリを示すカテゴリクラス（ＵＥ＿ＣＡＴＥＧＯＲＹ＿ＣＬＡＳＳ）を通知する。
【００９０】
ステップＳ３０において、ｅＮＢ１１０は、ＵＥ＿ＣＡＴＥＧＯＲＹ＿ＣＬＡＳＳに応じてＤＲＸ周期を決定する。ｅＮＢ１１０は、上述したように、図９に示すテーブルを参照して、ＵＥ＿ＣＡＴＥＧＯＲＹ＿ＣＬＡＳＳに対応するＤＲＸ＿ＣＹＣＬＥ＿ＩＮＤＥＸを特定してもよい。
【００９１】
ステップＳ４０において、ｅＮＢ１１０は、ＵＥ１０に対して、ＵＥ＿ＣＡＴＥＧＯＲＹ＿ＣＬＡＳＳに応じて決定されるＤＲＸ周期を識別するＤＲＸ識別情報（ＤＲＸ＿ＣＹＣＬＥ＿ＩＮＤＥＸ）を通知する。
【００９２】
ステップＳ５０において、ＵＥ１０は、ＤＲＸ＿ＣＹＣＬＥ＿ＩＮＤＥＸによって識別されるＤＲＸ周期に応じて、オン期間において下り方向信号を監視する。
【００９３】
（作用及び効果）
第１実施形態では、ＵＥ１０からｅＮＢ１１０に対して、ＵＥ１０でしか把握することができないＵＥ１０のカテゴリを通知することによって、ＵＥ１０のカテゴリに応じてＤＲＸ周期が決定されるため、適切なＤＲＸ周期を設定することが可能である。
【００９４】
すなわち、従来の移動通信方法では、セル内で同一のＤＲＸ周期が固定的に定められていたが、第１実施形態では、ＤＲＸ周期をフレキシブルに設定することが可能である。
【００９５】
なお、ＵＥ１０のカテゴリに応じて決定されるＤＲＸ周期は、ＵＥ１０からｅＮＢ１１０に通知される信号をトリガとして決定される点で、従来のＤＲＸ周期（例えば、ショートＤＲＸ周期又はロングＤＲＸ周期）と異なることに留意すべきである。
【００９６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９７】
実施形態では特に触れていないが、ＵＥ＿ＣＡＴＥＧＯＲＹ＿ＣＬＡＳＳとＤＲＸ＿ＣＹＣＬＥ＿ＩＮＤＥＸとを対応付けるテーブル（図９を参照）は、無線基地局の設置場所（繁華街、田舎等）に応じて異なっていてもよい。
【００９８】
アイドル状態においてＵＥ１０からｅＮＢ１１０に対してＵＥ＿ＣＡＴＥＧＯＲＹ＿ＣＬＡＳＳを通知する場合には、アイドル状態からコネクティッド状態に遷移した上でＵＥ＿ＣＡＴＥＧＯＲＹ＿ＣＬＡＳＳを通知し、コネクティッド状態からアイドル状態に遷移することが好ましい。或いは、ＵＥ＿ＣＡＴＥＧＯＲＹ＿ＣＬＡＳＳを通知するメッセージは、ＵＥから送信される各種上り方向のメッセージであってもよく、かつ、上り方向制御チャネル（ＰＵＣＣＨ）又は上り方向共有チャネル（ＰＵＳＣＨ）を介して送信されてもよい。
【００９９】
なお、日本国特許出願第２０１３−１７０２３９号（２０１３年８月２０日出願）の全内容が、参照により、本願明細書に組み込まれている。
【産業上の利用可能性】
【０１００】
本発明によれば、適切なＤＲＸ周期を設定することを可能とする移動通信システム及び無線端末を提供することができる。
【図１】
2015025813.tif 000003
【図２】
2015025813.tif 000004
【図３】
2015025813.tif 000005
【図４】
2015025813.tif 000006
【図５】
2015025813.tif 000007
【図６】
2015025813.tif 000008
【図７】
2015025813.tif 000009
【図８】
2015025813.tif 000010
【図９】
2015025813.tif 000011
【図１０】
2015025813.tif 000012
【国際調査報告】
2015025813.tif 000013
2015025813.tif 000014
2015025813.tif 000015
2015025813.tif 000016